(57)【要約】【課題】  画像内に含まれる被写体を正確に特定し、画像と被写体の識別情報とを対応付けして記憶する。【解決手段】  撮影手段２２が被写体Ｓを撮影したとき、顔抽出手段２３が撮影手段２２により取得された画像Ｐから被写体の顔情報を抽出する。一方、受信手段２１が被写体Ｓが所持する無線タグ１０から識別情報ＩＤと顔情報とを受信する。そして、被写体識別手段２４が、顔抽出手段２３により抽出された顔情報ＦＤと、無線タグ１０から取得した顔情報ＦＤとを照合し、抽出された顔情報ＦＤに一致する無線タグ１０から取得した顔情報ＦＤに対応した識別情報ＩＤを取得することにより、画像Ｐに含まれる被写体Ｓを識別する。そして、画像記憶手段２５が、被写体識別手段２４において識別された被写体Ｓの識別情報ＩＤと画像Ｐとを対応付けて記憶する。【選択図】  図１
2006323560.tif 000002
【特許請求の範囲】
【請求項１】
被写体の顔情報と該被写体を識別するための識別情報とが記憶された無線タグと、
前記無線タグから前記識別情報と前記顔情報とを受信する受信手段と、
前記被写体を撮影する撮影手段と、
該撮影手段により撮影された前記被写体の画像から前記被写体の顔情報を抽出する顔抽出手段と、
該顔抽出手段により抽出された前記顔情報と、前記無線タグから取得した前記顔情報とを照合し、前記抽出された顔情報と一致した前記無線タグから取得した顔情報に対応する前記識別情報を前記画像に含まれる前記被写体の識別情報として取得する被写体識別手段と、
該被写体識別手段において取得された前記被写体の前記識別情報と前記画像とを対応付けて記憶する画像記憶手段と
を有することを特徴とする画像管理システム。
【請求項２】
前記画像が複数の前記顔情報を含み、前記受信手段が複数の前記無線タグからそれぞれ前記識別情報と前記顔情報とを受信したとき、
前記顔抽出手段が、前記画像に含まれる複数の前記顔情報を抽出するものであり、
前記被写体識別手段が、前記顔抽出手段により抽出された前記複数の顔情報と、前記複数の無線タグから取得された前記複数の顔情報とをそれぞれ照合し、前記抽出された顔情報と一致した前記無線タグから取得した顔情報に対応する前記複数の識別情報を前記画像に含まれる前記複数の被写体の識別情報を取得するとともに、前記画像内における前記複数の顔情報の位置を前記複数の識別情報の配列情報として取得するものであり、
前記画像記憶手段が、前記被写体識別手段において取得された前記複数の被写体の識別情報および前記配列情報と前記画像とを対応付けて記憶するものであることを特徴とする請求項１に記載の画像管理システム。
【請求項３】
被写体の顔情報と該被写体を識別するための識別情報とが記憶された無線タグから該識別情報を受信する受信手段と、
前記被写体を撮影する撮影手段と、
該撮影手段により撮影された前記被写体の画像から前記被写体の顔情報を抽出する顔抽出手段と、
該顔抽出手段により抽出された前記顔情報と、前記無線タグから取得した前記顔情報とを照合し、前記抽出された顔情報と一致した前記無線タグから取得した顔情報に対応する前記識別情報を前記画像に含まれる前記被写体の識別情報として取得する被写体識別手段と、
該被写体識別手段において取得された前記被写体の前記識別情報と前記画像とを対応付けて記憶する画像記憶手段と
を有することを特徴とする撮影装置。
【請求項４】
前記画像が複数の前記顔情報を含み、前記受信手段が複数の前記無線タグからそれぞれ前記識別情報と前記顔情報とを受信したとき、
前記顔抽出手段が、前記画像に含まれる複数の前記顔情報を抽出するものであり、
前記被写体識別手段が、前記顔抽出手段により抽出された前記複数の顔情報と、前記複数の無線タグから取得された前記複数の顔情報とをそれぞれ照合し、前記抽出された顔情報と一致した前記無線タグから取得した顔情報に対応する前記複数の識別情報を前記画像に含まれる前記複数の被写体の識別情報を取得するとともに、前記画像内における前記複数の顔情報の位置を前記複数の識別情報の配列情報として取得するものであり、
前記画像記憶手段が、前記被写体識別手段において取得された前記複数の被写体の識別情報および前記配列情報と前記画像とを対応付けて記憶するものであることを特徴とする請求項３に記載の撮影装置。
【請求項５】
被写体を識別するための識別情報が記憶された無線タグと、
該無線タグから前記識別情報を受信する受信手段と、
前記被写体を撮影する撮影手段と、
該撮影手段により撮影された前記被写体の画像から前記被写体の顔情報を抽出する顔抽出手段と、
前記被写体の識別情報と顔情報とが対応付けされて記憶された顔情報記憶手段と、
前記顔抽出手段により抽出された前記顔情報と前記顔情報記憶手段に記憶された前記顔情報とを照合し、前記抽出された顔情報と一致した前記顔情報記憶手段に記憶された顔情報に対応する前記識別情報を前記画像に含まれる前記被写体の識別情報として取得する被写体識別手段と、
該被写体識別手段において取得された前記被写体の前記識別情報と前記画像とを対応付けて記憶する画像記憶手段と
を有することを特徴とする画像管理システム。
【請求項６】
前記画像が複数の前記顔情報を含み、前記受信手段が複数の前記無線タグからそれぞれ前記識別情報を受信したとき、
前記顔抽出手段が、前記画像に含まれる複数の前記顔情報を抽出するものであり、
前記被写体識別手段が、前記顔抽出手段により抽出された前記複数の顔情報と、前記顔記憶手段に記憶された前記顔情報とをそれぞれ照合し、前記抽出された顔情報と一致した前記顔情報記憶手段に記憶された顔情報に対応する前記識別情報を前記画像に含まれる前記被写体の識別情報として取得するとともに、前記画像内における前記複数の顔情報の位置を前記複数の識別情報の配列情報として取得するものであり、
前記画像記憶手段が、前記複数の被写体の識別情報および前記配列情報と前記画像とを対応付けて記憶するものであることを特徴とする請求項５に記載の画像管理システム。
【請求項７】
被写体を撮影する撮影手段と、
該撮影手段により撮影された前記被写体の画像から前記被写体の顔情報を抽出する顔抽出手段と、
前記被写体を識別するための識別情報が記憶された無線タグから前記識別情報を受信する受信手段と、
前記被写体の識別情報と顔情報とが対応付けて記憶された顔情報記憶手段と、
前記顔抽出手段により抽出された前記顔情報と前記顔情報記憶手段に記憶された前記顔情報とを照合し、前記抽出された顔情報と一致した前記顔情報記憶手段に記憶された顔情報に対応する前記識別情報を前記画像に含まれる前記被写体の識別情報として取得する被写体識別手段と、
該被写体識別手段において取得された前記被写体の前記識別情報と前記画像とを対応付けて記憶する画像記憶手段と
を有することを特徴とする撮影装置。
【請求項８】
前記画像が複数の前記顔情報を含み、前記受信手段が複数の前記無線タグからそれぞれ前記識別情報を受信したとき、
前記顔抽出手段が、前記画像に含まれる複数の前記顔情報を抽出するものであり、
前記被写体識別手段が、前記顔抽出手段により抽出された前記複数の顔情報と、前記顔記憶手段に記憶された前記顔情報とをそれぞれ照合し、前記抽出された顔情報と一致した前記顔情報記憶手段に記憶された顔情報に対応する前記識別情報を前記画像に含まれる前記被写体の識別情報として取得するとともに、前記画像内における前記複数の顔情報の位置を前記複数の識別情報の配列情報として取得するものであり、
前記画像記憶手段が、前記複数の被写体の識別情報および前記配列情報と前記画像とを対応付けて記憶するものであることを特徴とする請求項７に記載の撮影装置。
【発明の詳細な説明】
【技術分野】
【０００１】
本発明は、無線タグを所持する被写体を撮影したときに、得られた画像に含まれる被写体を識別し、被写体固有の識別情報により画像の管理を行う画像管理システムおよび撮影装置に関するものである。
【背景技術】
【０００２】
従来、ＲＦＩＤタグを用いて被写体を特定し、画像と被写体識別情報とを対応付けして記憶することが行われている（たとえば特許文献１参照）。特許文献１においては、無線タグを所持した被写体を撮影手段により撮影したときに、撮影した映像とともに無線タグが発信する標識番号、受信時刻および撮影時刻を記録する。そして、標識番号を受信した時刻と撮影時刻とを照合することにより、映像に含まれる被写体を特定するようになっている。特に、無線タグから標識番号を受信する際、電磁波または超音波の照射角がカメラの画角と等しくなるように電磁波または超音波を照射するようになっている。
【特許文献１】特開２００４−８０３４７号公報
【発明の開示】
【発明が解決しようとする課題】
【０００３】
しかし、特許文献１の方法においては、無線タグから標識番号等を受信する際に、電磁波もしくは超音波を電磁波の照射範囲の絞り込みには限界があり、被写体の位置を精度よく特定することはできないという問題がある。具体的には、たとえば集合写真のように被写体同士が近い位置にある複数人を１つの画像に収めた場合、カメラの画角に等しい照射角によって電磁波等を照射すると、複数人の標識番号を同時に受信することになる。特に、複数の被写体がカメラ方向からみて前後に重なって見えるような場合には、電磁波の照射方向を変えることでは被写体の位置を区別することができない。このように、特許文献１においては、１つの画像に複数の被写体が存在するときにはそれぞれの被写体の配列情報を把握することは困難であるという問題がある。
【０００４】
そこで、本発明は、画像内に含まれる被写体を正確に特定し、画像と被写体の識別情報とを対応付けして記憶することができる画像管理システムおよび撮影装置を提供することを目的とするものである。
【課題を解決するための手段】
【０００５】
本発明の画像管理システムは、被写体の顔情報と被写体を識別するための識別情報とが記憶された無線タグと、無線タグから識別情報と顔情報とを受信する受信手段と、被写体を撮影する撮影手段と、撮影手段により撮影された被写体の画像から被写体の顔情報を抽出する顔抽出手段と、顔抽出手段により抽出された顔情報と、無線タグから取得した顔情報とを照合し、抽出された顔情報と一致した無線タグから取得した顔情報に対応する識別情報を画像に含まれる被写体の識別情報として取得する被写体識別手段と、被写体識別手段において取得された被写体の識別情報と画像とを対応付けて記憶する画像記憶手段とを有することを特徴とするものである。
【０００６】
また、本発明の撮影装置は、被写体の顔情報と被写体を識別するための識別情報とが記憶された無線タグから識別情報を受信する受信手段と、被写体を撮影する撮影手段と、撮影手段により撮影された被写体の画像から被写体の顔情報を抽出する顔抽出手段と、顔抽出手段により抽出された顔情報と、無線タグから取得した顔情報とを照合し、抽出された顔情報と一致した無線タグから取得した顔情報に対応する識別情報を画像に含まれる被写体の識別情報として取得する被写体識別手段と、被写体識別手段において取得された被写体の識別情報と画像とを対応付けて記憶する画像記憶手段とを有することを特徴とするものである。
【０００７】
ここで、顔情報は、被写体の顔の特徴を示す情報であればなんでもよく、たとえば被写体の顔の肌の色、眼・鼻・口の各距離、輪郭等の特徴量からなるものであってもよい。
【０００８】
さらに、識別情報は、被写体を識別することができる被写体固有の情報であればなんでもよく、たとえば識別情報や被写体の名前等であってもよい。
【０００９】
また、画像記憶手段は、画像と識別情報とを対応付けして記憶するものであればよく、たとえば画像のヘッダに識別情報を記憶するようにしてもよい。
【００１０】
なお、画像が複数の顔情報を含み、受信手段が複数の無線タグからそれぞれ識別情報と顔情報とを受信したとき、顔抽出手段は複数の顔情報を抽出するものであってもよい。このとき、被写体識別手段は、顔抽出手段により抽出された複数の顔情報と、複数の無線タグから取得された複数の顔情報とをそれぞれ照合し、抽出された顔情報と一致した無線タグから取得した顔情報に対応する複数の識別情報を画像に含まれる複数の被写体の識別情報を取得するとともに、画像内における複数の顔情報の位置を複数の識別情報の配列情報として取得するものであってもよい。さらに、画像記憶手段は、被写体識別手段において取得された複数の被写体の識別情報および配列情報と画像とを対応付けて記憶するようにしてもよい。
【００１１】
ここで、配列情報は、画像における複数の被写体の配列状況が特定できる情報であればよく、たとえば画像内における被写体の顔情報が存在する座標情報であってもよいし、複数の被写体の並び順の情報であってもよい。
【００１２】
本発明の画像管理システムは、被写体を識別するための識別情報が記憶された無線タグと、無線タグから識別情報を受信する受信手段と、被写体を撮影する撮影手段と、撮影手段により撮影された被写体の画像から被写体の顔情報を抽出する顔抽出手段と、被写体の識別情報と顔情報とが対応付けされて記憶された顔情報記憶手段と、顔抽出手段により抽出された顔情報と顔情報記憶手段に記憶された顔情報とを照合し、抽出された顔情報と一致した顔情報記憶手段に記憶された顔情報に対応する識別情報を画像に含まれる被写体の識別情報として取得する被写体識別手段と、被写体識別手段において取得された被写体の識別情報と画像とを対応付けて記憶する画像記憶手段とを有することを特徴とするものである。
【００１３】
また、本発明の撮影装置は、被写体を撮影する撮影手段と、撮影手段により撮影された被写体の画像から被写体の顔情報を抽出する顔抽出手段と、被写体を識別するための識別情報が記憶された無線タグから識別情報を受信する受信手段と、被写体の識別情報と顔情報とが対応付けて記憶された顔情報記憶手段と、顔抽出手段により抽出された顔情報と顔情報記憶手段に記憶された顔情報とを照合し、抽出された顔情報と一致した顔情報記憶手段に記憶された顔情報に対応する識別情報を画像に含まれる被写体の識別情報として取得する被写体識別手段と、被写体識別手段において取得された被写体の識別情報と画像とを対応付けて記憶する画像記憶手段とを有することを特徴とするものである。
【００１４】
ここで、顔情報は、被写体の顔の特徴を示す情報であればなんでもよく、たとえば被写体の顔の肌の色、眼・鼻・口の各距離、輪郭等の特徴量からなるものであってもよい。
【００１５】
さらに、識別情報は、被写体を識別することができる被写体固有の情報であればなんでもよく、たとえば識別情報や被写体の名前等であってもよい。
【００１６】
また、画像記憶手段は、画像と識別情報とを対応付けして記憶するものであればよく、たとえば画像のヘッダに識別情報を記憶するようにしてもよい。
【００１７】
なお、画像が複数の顔情報を含み、受信手段が複数の無線タグからそれぞれ識別情報と顔情報とを受信したとき、顔抽出手段は画像に含まれる複数の顔情報を抽出するものであってもよい。このとき、被写体識別手段は、被写体識別手段は、顔抽出手段により抽出された複数の顔情報と、顔記憶手段に記憶された複数の顔情報とをそれぞれ照合し、抽出された顔情報と一致した顔記憶手段に記憶された複数の顔情報に対応する複数の識別情報を画像に含まれる複数の被写体の識別情報を取得するとともに、画像内における複数の顔情報の位置を複数の識別情報の配列情報として取得するものであってもよい。顔抽出手段により抽出された複数の顔情報と、複数の無線タグから取得された複数の顔情報とをそれぞれ照合することにより、画像に含まれる複数の被写体をするとともに、画像における複数の被写体の配列情報を識別するものであってもよい。さらに、画像記憶手段は、画像と複数の識別情報および配列情報とを対応付けて記憶するようにしてもよい。
【００１８】
ここで、被写体の配列情報は、画像における被写体の位置が特定できる情報であればよく、たとえば画像内における被写体の顔情報が存在する座標情報であってもよいし、複数の被写体の並び順の情報であってもよい。
【発明の効果】
【００１９】
本発明の画像管理システムによれば、被写体の識別情報と顔情報とが記憶された無線タグと、無線タグから識別情報と顔情報とを受信する受信手段と、被写体を撮影する撮影手段と、撮影手段により撮影された前記被写体の画像から顔情報を抽出する顔抽出手段と、顔抽出手段により抽出された顔情報と、無線タグから取得した顔情報とを照合することにより、画像に含まれる被写体を識別する被写体識別手段と、被写体識別手段において識別された被写体の識別情報と画像とを対応付けて記憶する画像記憶手段とを有することにより、撮影により得られた画像に含まれる被写体の識別を顔情報の照合により行うため、撮影された画像に含まれる被写体の特定を正確に行うことができる。
【００２０】
なお、画像が複数の顔情報を含み、受信手段が複数の無線タグからそれぞれ識別情報と顔情報とを受信したとき、顔抽出手段が複数の顔情報を抽出するものであり、被写体識別手段が、顔抽出手段により抽出された複数の顔情報と、複数の無線タグから取得された複数の顔情報とをそれぞれ照合し、抽出された顔情報と一致した無線タグから取得した顔情報に対応する複数の識別情報を画像に含まれる複数の被写体の識別情報を取得するとともに、画像内における複数の顔情報の位置を複数の識別情報の配列情報として取得するものであり、画像記憶手段が、画像と複数の識別情報および配列情報とを対応付けて記憶するものであれば、たとえば集合写真のように複数の人が重なり合って配列しているような無線タグの受信位置により被写体の位置を特定する方法では特定しきれない場合であっても、顔情報に基づいて被写体の正確な配列情報を取得することができる。また、無線タグから識別情報を受信する際に、無線タグの所在を特定するために照射指向を時間変化させる必要がないため、撮影の前後における被写体の識別に必要な時間の短縮化を図ることができる。
【００２１】
また、本発明の画像管理システムおよび撮影装置によれば、被写体の識別情報が記憶された無線タグと、無線タグから識別情報と顔情報とを受信する受信手段と、被写体を撮影する撮影手段と、撮影手段により取得された画像から被写体の顔情報を抽出する顔抽出手段と、被写体の識別情報と顔情報とが対応付けされて記憶された顔情報記憶手段と、顔抽出手段により抽出された顔情報と顔情報記憶手段の顔情報とを照合することにより、画像に含まれる被写体を識別する被写体識別手段と、被写体識別手段において識別された被写体の識別情報と画像とを対応付けて記憶する画像記憶手段とを有することにより、撮影により得られた画像に含まれる被写体の認証を顔情報の照合により行うため、撮影された画像に含まれる被写体の特定を正確に行うことができる。
【００２２】
なお、画像が複数の顔情報を含み、受信手段が複数の無線タグからそれぞれ識別情報と顔情報とを受信したとき、顔抽出手段が、画像から複数の顔情報と複数の顔情報の配列情報とを抽出するものであり、被写体識別手段が、顔抽出手段により抽出された複数の顔情報と、顔記憶手段に記憶された顔情報とをそれぞれ照合し、抽出された顔情報と一致した顔情報記憶手段に記憶された顔情報に対応する識別情報を画像に含まれる被写体の識別情報として取得するとともに、画像内における複数の顔情報の位置を複数の識別情報の配列情報として取得するものであり、画像記憶手段が、画像と複数の識別情報および配列情報とを対応付けて記憶するものであれば、たとえば集合写真のように複数の人が重なり合って配列しているような無線タグの受信位置により被写体の位置を特定する方法では特定しきれない場合であっても、顔情報に基づいて被写体の正確な配列情報を取得することができる。また、無線タグから識別情報を受信する際に、無線タグの所在を特定するために照射向きを時間変化させる必要がないため、撮影の前後における被写体の識別に必要な時間の短縮化を図ることができる。
【発明を実施するための最良の形態】
【００２３】
以下、図面を参照して本発明の画像管理システムおよび撮影装置の実施の形態を詳細に説明する。図１は本発明の画像管理システムおよび撮影装置の好ましい実施の形態を示す構成図である。図１の画像管理システム１は、無線タグ１０を所持する被写体Ｓを撮影したときに、撮影により得られた画像Ｐと、被写体Ｓを識別するための識別情報ＩＤとを対応付けして記憶するものであって、図１においては画像管理機能を備えた撮影装置２０と被写体Ｓが所持する無線タグ１０によって構成されている。
【００２４】
ここで、無線タグ１０は、たとえば非接触ＩＣタグ（ＲＦＩＤタグ）からなり、撮影手段２２により撮影される被写体Ｓが所持している。無線タグ１０は、アンテナ１１と記憶部１２とを有し、記憶部１２に記憶された情報がアンテナ１１から受信手段２１に送信され、もしくは受信手段２１から送信された情報をアンテナ１１により受信されるようになっている。
【００２５】
記憶部１２には被写体Ｓを識別するための被写体Ｓに固有の識別情報ＩＤと被写体Ｓの顔情報ＦＤとが記憶されており、アンテナ１１を介して受信手段２１に識別情報ＩＤおよび顔情報ＦＤとが送信されるようになっている。ここで、顔情報ＦＤは、たとえば被写体Ｓの顔の肌の色、眼・鼻・口の各距離、輪郭の特徴量等の公知の顔抽出技術もしくは顔認証技術に用いられる顔に関する情報からなり、識別情報ＩＤはたとえば被写体Ｓの名前、もしくは識別コード等からなっている。
【００２６】
次に、図１を参照して撮影装置２０について説明する。撮影装置２０は、無線タグ１０から識別情報ＩＤと顔情報ＦＤとを受信する受信手段２１と、被写体Ｓを撮影する撮影手段２２と、撮影手段２２により撮影された被写体Ｓの画像Ｐから被写体Ｓの顔情報ＦＤを抽出する顔抽出手段２３と、顔抽出手段２３により抽出された顔情報ＦＤと、無線タグ１０から取得した顔情報ＦＤとを照合し、抽出された顔情報ＦＤと一致した無線タグ１０から取得した顔情報ＦＤに対応する識別情報ＩＤを画像Ｐに含まれる被写体Ｓの識別情報ＩＤとして取得する被写体識別手段２４と、被写体識別手段２４において識別された被写体の識別情報と画像とを対応付けて記憶する画像記憶手段２５とを有している。
【００２７】
ここで、受信手段２１は、無線タグ１０にたとえば電磁波等を照射することにより無線タグ１０から顔情報ＦＤおよび識別情報ＩＤを受信するものであるが、無線タグ１０に対し所定の情報を送信する送信機能を有するものであってもよい。
【００２８】
なお、無線タグ１０において顔情報ＦＤが暗号化されて記憶されている場合、受信手段２１が顔情報ＦＤを復号する機能を有していてもよい。具体的には、受信手段２１には特定の無線タグ１０の暗号解読のためのパスワードが記憶されており、受信手段２１は特定の無線タグ１０から受信された顔情報ＦＤを復号するようにしてもよい。これにより、顔情報ＦＤが他人の受信手段２１により受信され使用されるのを防止することができるため、セキュリティーの強化を図ることができる。
【００２９】
撮影手段２２は、被写体を撮影するとともに撮影により得られた画像の画像処理を行う機能を有しており、被写体Ｓを撮影したときに画像ＰをたとえばＪＰＥＧ形式等のデータとして出力するようになっている。
【００３０】
顔抽出手段２３は、撮影手段２２により取得された画像Ｐから被写体Ｓの顔情報ＦＤを抽出するものである。ここで、顔抽出手段２３において用いられる顔情報ＦＤを抽出する手法として、たとえば画像Ｐにおける顔のおおよその位置および大きさを検出し、この位置および大きさにより示される領域の画像Ｐから顔情報ＦＤを抽出する方法や、その他の公知の技術を用いることができる。また、画像Ｐに複数の顔情報ＦＤが存在するとき、顔抽出手段２３は、画像Ｐに含まれるすべての顔情報ＦＤを抽出するようになっている。
【００３１】
被写体識別手段２４は、画像Ｐの顔情報ＦＤと受信手段２１において受信された顔情報ＦＤとを照合することにより、画像Ｐに含まれる顔情報ＦＤに対応した識別情報ＩＤを抽出することにより画像Ｐに含まれる被写体Ｓを識別するようになっている。画像記憶手段２５は、撮影手段２２により取得された画像Ｐと被写体識別手段２４において識別された被写体の識別情報ＩＤとを対応付けて記憶するものであって、たとえば画像Ｐのヘッダ情報として識別情報ＩＤを記憶するようになっている。
【００３２】
このように、被写体Ｓの識別を画像Ｐに含まれる顔情報ＦＤの照合により行うことにより、撮影された被写体Ｓの短時間で正確に行うことができる。すなわち、無線タグ１０の受信時間等により被写体Ｓの識別を行う場合、無線タグ１０の受信タイミングと撮影手段２２によるシャッタータイミングとは必ずしも同時刻に行われるものではないため、被写体Ｓの識別の精度が低くなってしまう。一方、上述のように、画像Ｐに含まれる顔情報ＦＤの認証に基づいて被写体Ｓの識別を行うことにより、被写体Ｓの識別精度の向上を図ることができる。
【００３３】
また、画像Ｐと識別情報ＩＤとを対応付けて記憶するため、たとえば撮影した複数の画像Ｐを被写体Ｓが撮影されている画像Ｐ毎に分類しもしくは焼き回しする等の画像Ｐの管理を容易に行うことができるようになる。
【００３４】
ここで、画像Ｐに１つの顔情報ＦＤが存在し、受信手段２１が複数の無線タグ１０からそれぞれ複数の顔情報ＦＤおよび識別情報ＩＤを受信した場合、顔抽出手段２３は１つの顔情報ＦＤを抽出し、被写体識別手段２４は抽出した顔情報ＦＤと無線タグ１０から受信した複数の顔情報ＦＤとの照合を行う。そして、被写体識別手段２４は照合できた顔情報ＦＤの識別情報ＩＤを取得し、画像記憶手段２５が画像Ｐと識別情報ＩＤとを対応付けて記憶するようになっている。
【００３５】
さらに、画像Ｐに複数の顔情報ＦＤが存在し、受信手段２１が１つの無線タグ１０から顔情報ＦＤおよび識別情報ＩＤを受信した場合、顔抽出手段２３は画像Ｐに含まれるすべての顔情報ＦＤを抽出し、被写体識別手段２４は抽出したすべての顔情報ＦＤと、無線タグ１０から取得した顔情報ＦＤとの照合を行う。そして、被写体識別手段２４は照合できた顔情報ＦＤの識別情報ＩＤを取得し、画像記憶手段２５が画像Ｐと識別情報ＩＤとを対応付けて記憶するようになっている。
【００３６】
また、画像Ｐに複数の顔情報ＦＤが存在し、受信手段２１が複数の無線タグ１０からそれぞれ複数の顔情報ＦＤおよび識別情報ＩＤを受信した場合、顔抽出手段２３は画像Ｐに含まれるすべての顔情報ＦＤを抽出し、被写体識別手段２４は抽出したすべての顔情報ＦＤと、無線タグ１０から取得した顔情報ＦＤとの照合を行う。そして、被写体識別手段２４は照合できた顔情報ＦＤの識別情報ＩＤを取得し、画像記憶手段２５が画像Ｐと識別情報ＩＤとを対応付けて記憶するようになっている。
【００３７】
さらに、被写体識別手段２４は、複数の被写体Ｓの識別とともに複数の被写体Ｓの配列情報をも取得する機能を有している。具体的には、被写体識別手段２４は、複数の顔情報ＦＤの照合を行うとともに、照合により複数の識別情報ＩＤが取得できた場合には複数の顔情報ＦＤが画像Ｐ内においてどのような位置関係にあるかを識別するようになっている。このとき被写体識別手段２４は、たとえば画像Ｐ内における被写体Ｓの顔情報ＦＤが存在する座標情報もしくは複数の被写体の並び順の情報を配列情報として取得する。そして、画像記憶手段２５は、画像Ｐと識別情報ＩＤおよび配列情報とを対応付けて記憶するようになっている。
【００３８】
このように、顔情報ＦＤに基づいて被写体Ｓの配列情報を取得するため、被写体Ｓの配列情報を正確に短時間で識別することができる。すなわち、従来のように、無線タグ１０の受信位置により位置を特定する場合、たとえば受信手段２１から発する電磁波の方向に対し被写体Ｓ同士が前後に重なっている場合には、被写体Ｓの位置が正確に識別することができない。また、撮影の前後において、無線タグ１０から識別情報ＩＤ等を受信する際に無線タグ１０の所在を特定するために照射向きを時間変化させる必要がある。一方、上述のように顔情報ＦＤを用いて被写体Ｓおよび被写体Ｓの位置の識別を行うようにすれば、被写体の識別の精度を高くするとともに時間の短縮化を図ることができる。
【００３９】
図２は本発明の画像管理システムの動作例を示すフローチャートであり、図１と図２を参照して画像管理システムの動作例について説明する。まず、撮影手段２２により被写体Ｓの撮影が行われたとき、被写体Ｓが所持する無線タグ１０から受信手段２１に識別情報ＩＤおよび顔情報ＦＤが送信される（ステップＳＴ１）。
【００４０】
一方、顔抽出手段２３において、撮影手段２２により得られた画像Ｐに含まれる顔情報ＦＤが抽出される（ステップＳＴ２）。その後、被写体識別手段２４において、画像Ｐに含まれる顔情報ＦＤと無線タグ１０から得られた顔情報ＦＤとが照合され、画像Ｐに含まれる顔情報ＦＤに対応した識別情報ＩＤが取得されることにより、画像Ｐに含まれている被写体Ｓが識別される（ステップＳＴ３）。さらに、画像Ｐに被写体Ｓが複数含まれているときには、被写体Ｓの配列情報も識別される。そして、画像記憶手段２５において、取得された識別情報ＩＤおよび並び配列情報が画像Ｐのヘッダに埋め込まれて記憶される（ステップＳＴ４）。
【００４１】
上記実施の形態によれば、撮影手段２２により取得された画像Ｐから被写体Ｓの顔情報ＦＤを抽出し、抽出した顔情報ＦＤと、無線タグ１０から取得した顔情報ＦＤとを照合することにより、画像Ｐに含まれる被写体Ｓを識別し、識別した被写体Ｓの識別情報ＩＤと画像Ｐとを対応付けて記憶することにより、撮影により得られた画像Ｐに含まれる被写体の認証を顔情報ＦＤの照合により行うため、撮影された画像Ｐに含まれる被写体Ｓの特定を正確に行うことができる。また、無線タグから識別情報を受信する際に、無線タグの所在を特定するために照射向きを時間変化させる必要がないため、被写体Ｓの識別の効率化を図ることができる。
【００４２】
さらに、画像Ｐが複数の顔情報ＦＤを含み、受信手段２１が複数の無線タグ１０からそれぞれ識別情報ＩＤと顔情報ＦＤとを受信したとき、顔抽出手段２３が、複数の顔情報ＦＤと複数の顔情報ＦＤの配列情報とを抽出するものであり、被写体識別手段２４が、顔抽出手段２３により抽出された複数の顔情報ＦＤと複数の無線タグ１０から取得された複数の顔情報ＦＤとをそれぞれ照合することにより、画像Ｐに含まれる複数の被写体Ｓの識別情報ＩＤを取得するものであり、画像記憶手段２５が、画像Ｐと複数の識別情報ＩＤおよび配列情報とを対応付けて記憶するものであれば、たとえば集合写真のように複数の人が重なり合って配列しているような場合であっても、無線タグ１０の受信位置に基づいて被写体Ｓの位置を識別する場合と異なり、顔情報ＦＤに基づいて被写体Ｓの配列情報を正確に特定することができる。
【００４３】
図３は本発明の画像管理システムの別の実施の形態を示すブロック図である。なお、図３の画像管理システム１００および撮影装置１２０において図１の画像管理システム１および撮影装置２０と同一の構成を有する部位には同一の符号を付してその説明を省略する。
【００４４】
図３の画像管理システム１００が図１画像管理システム１と異なる点は、無線タグ１０は識別情報ＩＤのみ記憶されており、撮影装置１２０側に識別情報ＩＤ１〜３と顔情報ＦＤ１〜ＦＤ３とが対応付けされて記憶された顔情報記憶手段１３０が設けられている点である。そして、被写体識別手段１２４は、顔抽出手段２３により抽出された顔情報ＦＤと、顔情報記憶手段１３０に記憶された顔情報ＦＤとを照合することにより、画像Ｐに含まれる被写体を識別するようになっている。
【００４５】
たとえば図４のように、顔情報記憶手段１３０には４人の被写体Ｓの識別情報ＩＤ１〜ＩＤ４および顔情報ＦＤ１〜ＦＤ４が記憶されている場合について例示する。ここで、２人の被写体Ｓに対し撮影が行われたが、３人分の識別情報ＩＤが受信手段２１において受信されたとする。
【００４６】
このとき、被写体識別手段１２４は、受信手段２１において受信された識別情報ＩＤ１〜ＩＤ３に対応付けされた顔情報ＦＤ１〜ＦＤ３を顔情報記憶手段１３０から抽出する。その後、被写体識別手段１２４は、顔抽出手段２３において抽出された２つの顔情報ＦＤ１、ＦＤ２と、顔情報記憶手段１３０から抽出した顔情報ＦＤ１〜ＦＤ３との照合を行う。そして、被写体識別手段１２４は、一致する顔情報ＦＤ１、ＦＤ２の識別情報ＩＤ１、ＩＤ２を抽出することにより被写体Ｓの識別を行う。さらに、被写体識別手段１２４は、画像Ｐにおける顔情報ＦＤ１、ＦＤ２の配列情報を識別するようになっている。そして、画像記憶手段２５が、画像Ｐに識別情報ＩＤおよび配列情報を対応付けて記憶するようになっている。
【００４７】
上記実施の形態であっても第１の実施の形態と同様に、撮影により得られた画像Ｐに含まれる被写体Ｓの識別を顔情報ＦＤの照合により行うため、撮影された画像Ｐに含まれる被写体Ｓの特定を正確に行うことができる。また、無線タグ１０から識別情報ＩＤを受信する際に、無線タグ１０の所在を特定するために電磁波等の照射の向きを時間変化させる必要がないため、被写体Ｓの識別の効率化を図ることができる。
【００４８】
特に、撮影装置１２０側に識別情報ＩＤと顔情報ＦＤとを対応付けした顔情報記憶手段１３０を設けることにより、たとえば撮影装置２０を使用する被写体Ｓおよび被写体Ｓの仲間や家族等の識別情報ＩＤおよび顔情報ＦＤのみ記憶するようにしておけば、他人が所持する無線タグ１０から識別情報ＩＤが受信手段２１において受信されても、顔情報ＦＤの照合が行われることがないため、効率的な識別作業を行うことができるとともに、セキュリティーの強化を図ることができる。
【００４９】
また、図３と図４における画像管理システム１００および撮影装置１２０においても、図１および図２の画像管理システム１および撮影装置２０と同様に、画像Ｐが複数の顔情報ＦＤを含み、受信手段２１が複数の無線タグ１０からそれぞれ識別情報ＩＤを受信したとき、顔抽出手段２３が、画像Ｐから複数の顔情報ＦＤを抽出するものであり、被写体識別手段１２４が、顔抽出手段２３により抽出された複数の顔情報ＦＤと、顔情報記憶手段１３０に記憶された顔情報ＦＤとをそれぞれ照合することにより、画像Ｐに含まれる複数の被写体Ｓの識別情報ＩＤを取得するものであり、画像記憶手段２５が、画像Ｐと複数の識別情報および配列情報とを対応付けて記憶するものであれば、たとえば集合写真のように複数の人が重なり合って配列しているような場合であっても、顔情報ＦＤに基づいて被写体Ｓの配列情報を正確に特定することができる。
【００５０】
本発明の実施の形態は、上記各実施の形態に限定されない。たとえば図１、図３において、撮影装置２０が顔抽出・被写体の識別・画像の記憶を行うようにしているが、撮影装置２０とは別にコンピュータ等からなる画像管理装置が形成されているものであってもよい。このとき、図１もしくは図３の撮影手段２２が別個の撮影装置として構成されることになる。
【図面の簡単な説明】
【００５１】
【図１】本発明の画像管理システムの好ましい実施の形態を示すブロック図
【図２】本発明の画像管理システムの動作例を示すフローチャート
【図３】本発明の画像管理システムの第２の実施の形態を示すブロック図
【図４】図３の画像管理システムにおける被写体識別手段の周辺部位を示すブロック図
【符号の説明】
【００５２】
１、１００     画像管理システム
１０   無線タグ
２０、１２０   撮影装置
２１   受信手段
２２   撮影手段
２３   顔抽出手段
２４、１２４   被写体識別手段
２５   画像記憶手段
１００ 画像管理システム
１３０ 顔情報記憶手段
ＦＤ   顔情報
ＩＤ   識別情報
Ｐ     画像
Ｓ     被写体
【図１】
2006323560.tif 000003
【図２】
2006323560.tif 000004
【図３】
2006323560.tif 000005
【図４】
2006323560.tif 000006